(57)【要約】【課題】発言者の表示位置に基づいて、スピーカーからの音声出力を強調する処理を行うことができる情報処理装置および制御方法を提供する。【解決手段】通信装置２１を介して受信した複数の動画データおよび音声データをディスプレイ２６に表示させる場合、表示させた動画データの位置に基づいて、動画データに対応する音声データを、複数のスピーカーの出力部に適切に配分して出力する。【選択図】図２
2007124253.tif 000002
【特許請求の範囲】
【請求項１】
通信手段と、表示手段と、複数の音声出力手段とを備えた情報処理装置であって、
前記通信手段を介して受信した複数の動画データおよび音声データを収集する収集手段と、
前記収集手段によって収集した複数の動画データを前記表示手段に表示させる場合、表示させた動画データの位置に基づいて、前記動画データに対応する音声データを、前記複数の音声出力手段に適切に配分して出力することを特徴とする情報処理装置。
【請求項２】
請求項１に記載の情報処理装置において、
前記前記複数の音声出力手段は、所定の位置に配置されたスピーカーであり、表示させた動画データの位置に近い方の前記スピーカーからの音声を強調して出力することを特徴とする情報処理装置。
【請求項３】
請求項２に記載の情報処理装置、
前記スピーカーは、それぞれ複数の音声出力部を有しており、表示させた動画データの位置に近い方の前記スピーカーの音声出力部からの音声を強調して出力することを特徴とする情報処理装置。
【請求項４】
請求項１に記載の情報処理装置において、
前記前記複数の音声出力手段は、所定の位置に配置されたスピーカーであり、表示させた動画データの位置に近い方の前記スピーカーからの音声のみを出力することを特徴とする情報処理装置。
【請求項５】
請求項４に記載の情報処理装置において、
前記スピーカーは、それぞれ複数の音声出力部を有しており、表示させた動画データの位置に近い方の前記スピーカーの音声出力部からの音声のみを出力することを特徴とする情報処理装置。
【請求項６】
請求項１に記載の情報処理装置において、
前記表示装置に表示させた動画データの表示範囲を移動させた場合、前記表示装置内の移動位置に対応するように、前記複数の音声出力手段に適切に再配分して出力することを特徴とする情報処理装置。
【請求項７】
請求項１に記載の情報処理装置において、
前記複数の動画データの内、２つ以上の動画データに対応する音声データが同時に存在する場合、それぞれの音声データを同時に出力することを特徴とする情報処理装置。
【請求項８】
通信手段と、表示手段と、複数の音声出力手段とを備えた情報処理装置の制御方法であって、
前記通信手段を介して受信した複数の動画データおよび音声データを収集する収集ステップと、
前記収集ステップによって収集した複数の動画データを前記表示手段に表示させる場合、表示させた動画データの位置に基づいて、前記動画データに対応する音声データを、前記複数の音声出力手段に適切に配分して出力する出力ステップと、
を含むことを特徴とする制御方法。
【請求項９】
請求項８に記載の制御方法において、
前記前記複数の音声出力手段は、所定の位置に配置されたスピーカーであり、表示させた動画データの位置に近い方の前記スピーカーからの音声を強調して出力することを特徴とする制御方法。
【請求項１０】
請求項９に記載の制御方法において、
前記スピーカーは、それぞれ複数の音声出力部を有しており、表示させた動画データの位置に近い方の前記スピーカーの音声出力部からの音声を強調して出力することを特徴とする制御方法。
【発明の詳細な説明】
【技術分野】
【０００１】
本発明は、ビデオ会議システムに係り、特に発言者の音声に対し、発言者が表示されているモニター側のスピーカーの音声を強調することによって臨場感を向上させることができる情報処理装置および制御方法に関する。
【背景技術】
【０００２】
ビデオ会議システムにおいて、複数の参加者の内、中心になっている参加者を表示させ、強調させる処理を行う技術が開示されている（特許文献１参照）。
【特許文献１】特開平９−３０７８６９号公報
【発明の開示】
【発明が解決しようとする課題】
【０００３】
しかしながら、上述した技術では、発言者の音声については考慮されておらず、スピーカーから出力される発言者の音声がどの発言者のものであるのかを判別するのが困難な場合がある。
【０００４】
本発明は上述の事情を考慮してなされたものであり、発言者の表示位置に基づいて、スピーカーからの音声出力を強調する処理を行うことができる情報処理装置および制御方法を提供することを目的とする。
【課題を解決するための手段】
【０００５】
上記目的を達成するために、本願発明の一態様によれば、通信手段と、表示手段と、複数の音声出力手段とを備えた情報処理装置であって、前記通信手段を介して受信した複数の動画データおよび音声データを収集する収集手段と、前記収集手段によって収集した複数の動画データを前記表示手段に表示させる場合、表示させた動画データの位置に基づいて、前記動画データに対応する音声データを、前記複数の音声出力手段に適切に配分して出力することを特徴とする情報処理装置が提供される。
【発明の効果】
【０００６】
本発明によれば、発言者の表示位置に基づいて、スピーカーからの音声出力を強調する処理を行うことができる情報処理装置および制御方法を提供することが可能である。
【発明を実施するための最良の形態】
【０００７】
以下、図面を参照して本発明の実施形態を説明する。
【０００８】
（第１実施形態）
図１は、本発明の第１実施形態に係る情報処理装置を適用したビデオ会議システムの構成を示す模式図である。
【０００９】
このビデオ会議システムは、端末装置１２ａ〜１２ｄと、ネットワークであるＷＡＮ／ＬＡＮ１１と、端末装置１２ａ〜１２ｄから受信したデータを合成し、各端末装置１２ａ〜１２ｄにＷＡＮ／ＬＡＮ１１を介して配信するサーバ１０とから構成される。
【００１０】
各端末装置１２ａ〜１２ｄは同様の構成となっており、例えば、端末装置１２ａは、映像を取り込むカメラ２３と、音声を取り込むマイク２４と、カメラ２３およびマイク２４等からデータを受け取り、通信用データに変換したり、サーバ１２から受け取ったデータを処理するデータ制御装置２２と、画像データ（動画および音声データ）を再生するディスプレイ２６と、音声データを再生するスピー
カ２６と、通信用データをサーバ１０に転送したり、サーバ１０より通信用データを受け取る通信装置２１を備えている。
【００１１】
図２および図３は、ディスプレイ２６に、複数の画像データ２６ａ〜２６ｄを表示させた状態を示した模式図である。また、図４は、本発明の情報処理装置を適用した制御方法を説明したフローチャートである。
【００１２】
まず端末装置１２ａは、通信装置２１を介して受信した複数の画像データ（動画データおよび音声データ）を収集し、ディスプレイ２６に、複数の画像データ２６ａ〜２６ｄを表示させる。
【００１３】
端末装置１２ａは、発言者は表示画面の左側か否かを判別する（ステップＳ１）。図２に示すように、発言者の表示画面２６ａは、左側であるので（ステップＳ１のＹＥＳ）、発言者は表示画面の下側か否かを判別する（ステップＳ２）。発言者の表示画面２６ａは、上側であるので（ステップＳ２のＮＯ）、左側のスピーカー２５ａの上側の出力部から音声を例えば９０ｄＢＳＰＬ出力させ、その他のスピーカーの出力部からは出力しない（ステップＳ３）。
【００１４】
次に端末装置１２ａは、発言者が変わったか否かを判別する（ステップＳ５）。例えば図３に示すように、発言者が表示画面２６ｄとなると、端末装置１２ａによって、発言者が変わったかと判別され（ステップＳ５のＹＥＳ）、ステップＳ１に戻って上述した処理を行い、スピーカーの適切な出力部から音声を出力させる。
【００１５】
一方、端末装置１２ａによって、発言者が変わっていないと判別された場合は（ステップＳ５のＮＯ）、発言がなくなったと判別され、ビデオ会議を終了する（ステップＳ６）。
【００１６】
また、ステップＳ２で、発言者の表示画面が下側であると判別されると（ステップＳ２のＹＥＳ）、左側のスピーカー２５ａの下側の出力部から音声を例えば９０ｄＢＳＰＬ出力させ、その他のスピーカーの出力部からは出力しない（ステップＳ４）。
【００１７】
さらに、ステップＳ２１で、発言者の表示画面が右側であると判別されると（ステップＳ１のＮＯ）、発言者が表示画面の下側か否かを判別する（ステップＳ７）、発言者が表示画面の下側であると判別されると（ステップＳ７のＹＥＳ）、右側のスピーカー２５ｂの下側の出力部から音声を例えば９０ｄＢＳＰＬ出力させ、その他のスピーカーの出力部からは出力しない（ステップＳ９）。
【００１８】
一方、発言者が表示画面の上側であると判別されると（ステップＳ７のＮＯ）、右側のスピーカー２５ｂの上側の出力部から音声を例えば９０ｄＢＳＰＬ出力させ、その他のスピーカーの出力部からは出力しない（ステップＳ８）。
【００１９】
なお、上述したスピーカー２５の音声の出力値配分については、その他のスピーカーの出力部からは、メインで音声を出力するのスピーカーの出力部からの出力９０ｄＢＳＰＬより明らかに小さい出力である、例えば１０ｄＢＳＰＬ等を出力するようにしてもよい。
【００２０】
以上より、発言者の表示位置に基づいて、スピーカーからの音声出力を強調する処理を行うことができ、発言者の表示位置に連動して音声が出力されることにより、臨場感豊かなビデオ会議システムを構築することができる。
【００２１】
（第１実施形態の変形例）
次に、第１実施形態の変形例について図５及び図６を用いて説明する。
【００２２】
第１実施形態の変形例としては、表示画面に発言者の表示画面を例えば９つ設けていることが特徴である。
【００２３】
第１実施形態と同様に、発言者の表示画面にスピーカーの出力部を連動させる。例えば、図５に示すように、発言者の表示画面が表示画面２６ｇである場合は、表示画面２６ｇは、ディスプレイ２６中の左側の下に位置するので、左側のスピーカー２５ａの下側の出力部から音声を例えば９０ｄＢＳＰＬ出力させ、その他のスピーカーの出力部からは出力しない。
【００２４】
また、例えば、図６に示すように、発言者の表示画面が表示画面２６ｆである場合は、表示画面２６ｆは、ディスプレイ２６中の右側の中央に位置するので、左側のスピーカー２５ａの両方の出力部から音声を例えば９０ｄＢＳＰＬ出力させ、その他のスピーカーの出力部からは出力しない。
【００２５】
なお、上述したディスプレイ２６に表示させる表示画面の数にかかわらず、適切に発言者の表示画面に出力音声が連動する形態であれば、上述した実施形態に限定されるものではない。
【００２６】
以上より、表示装置に表示させる表示画面の数が多くなっても、適切に発言者の表示画面に出力音声が連動させることができる。
【００２７】
（第２実施形態）
次に、図７は、本発明の第２実施形態に係る情報処理装置を適用したビデオ会議システムの表示画面を示す模式図である。
【００２８】
第２実施形態では、発言者の表示画面をマウスまたはリモコン等の入力デバイスによって移動させた場合にも表示画面に連動して適切に音声を出力させるようにしたものである。
【００２９】
例えば、表示画面２６ａを図７に示すように、右下に移動させた場合について説明する。移動後の表示画面２６ａは、移動前の表示画面２６ａよりも右方向にβ１、下方向にβ２だけ移動していることがわかる。
【００３０】
表示画面２６ａが左右方向に移動した割合は、各スピーカーの出力部からの出力配分は、左右方向のバランス比を計算することで求められる。
【００３１】
例えば、左右方向の表示画面２６ａ、２６ｂ同士の間隔はα１であるので、移動後の表示画面２６ａは、左右方向にβ１：α１−β１の位置にある。これにより、左右のスピーカー２５ａ、２５ｂの音声出力の出力配分をβ１：α１−β１とする。
【００３２】
一方、表示画面２６ａが上下方向の移動した割合は、上下方向のバランス比を計算することで求められる。例えば、上下方向の表示画面２６ａ、２６ｃ同士の間隔はα２であるので、移動後の表示画面２６ａは、上下方向にβ２：α２−β２の位置にある。これにより、各スピーカー２５ａ、２５ｂの上下の出力部の音声出力の出力配分をβ２：α２−β２とする。
【００３３】
以上より、例えば、以下のように出力配分を決定する。
【００３４】
ディスプレイ２６が正方形であった場合は、α１＝α２である。また、例えば各数値を以下のように仮定する。  
α１＝α２＝１００ｃｍ  
β１＝４０ｃｍ  
β２＝３０ｃｍ  
これにより、左右の音声出力の配分は、
β１：α１−β１＝４０：６０となり、
上下の音声出力の配分は、
β２：α２−β２＝３０：７０となる。
【００３５】
よって、各スピーカーの出力部の出力配分は以下の通りとなる。  
右側スピーカー２５ａの上部出力部＝約１２ｄＢＳＰＬ  
右側スピーカー２５ａの下部出力部＝約２８ｄＢＳＰＬ  
左側スピーカー２５ｂの上部出力部＝約１８ｄＢＳＰＬ  
左側スピーカー２５ｂの下部出力部＝約４２ｄＢＳＰＬ
なお、上述した実施形態では、スピーカーの数は２個、各スピーカーの出力部の数はそれぞれ上下２個づつであるが、スピーカーの数や各スピーカーの出力部の数は、適切に発言者の表示画面に出力音声が連動する形態であれば、上述した実施形態に限定されるものではない。
【００３６】
以上より、表示装置上で、発言者の表示画面を移動させた場合にも移動した表示画面に連動して適切に音声を出力させることができる。
【００３７】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３８】
【図１】本発明の第１実施形態に係る情報処理装置を適用したビデオ会議システムの構成を示す模式図。
【図２】ディスプレイに、複数の画像データを表示させた状態を示した模式図。
【図３】ディスプレイに、複数の画像データを表示させた状態を示した模式図。
【図４】本発明の情報処理装置を適用した制御方法を説明したフローチャート。
【図５】第１実施形態の変形例に係り、ディスプレイに、複数の画像データを表示させた状態を示した模式図。
【図６】第１実施形態の変形例に係り、ディスプレイに、複数の画像データを表示させた状態を示した模式図。
【図７】本発明の第１実施形態に係る情報処理装置のディスプレイに、複数の画像データを表示させ、表示画面を移動させた状態を示した模式図。
【符号の説明】
【００３９】
１０…サーバ、１２ａ〜１２ｄ…端末装置、１２…サーバ、２１…通信装置、２２…データ制御装置、２３…カメラ、２４…マイク、２５ａ、２５ｂ…スピーカー、２６…ディスプレイ、２６ａ〜２６ｄ…画像データ、２６ａ、２６ｄ、２６ｇ、２６ｆ…表示画面。
【図１】
2007124253.tif 000003
【図２】
2007124253.tif 000004
【図３】
2007124253.tif 000005
【図４】
2007124253.tif 000006
【図５】
2007124253.tif 000007
【図６】
2007124253.tif 000008
【図７】
2007124253.tif 000009